(57)【要約】【課題】刺部を侵入者の身体に引っ掛けて侵入を阻止し、かつ外観が良好な建造物の侵入防止装置を提供する。【解決手段】取付基台１から複数の細長状の柄部材３を突設し、支柄部材４を介して板状部材５を突設し、この板状部材５の縁部には複数の刺部７を突設した。板状部材５が空間的、立体的に配置されるので、侵入者がこれらの縁部の刺部７に引っ掛かり、侵入を阻止する。全体を植物の形態に模した形状とすることができ、装飾性があり、外観を損なわない。【選択図】    図１
2004360449.tif 000002
【特許請求の範囲】
【請求項１】
細長状をなした柄部材と、この柄部材の先端部または中間部の少なくともいずれかに突設された板状部材とを有し、これらの板状部材の縁部には複数の刺部が突設されていることを特徴とする侵入防止装置。
【請求項２】
建造物に取り付けられる取付基台を備え、前記の柄部材はこの取付基台から突設されており、この柄部材の先端部または中間部の少なくともいずれかに前記の板状部材が突設されていることを特徴とする請求項１の侵入防止装置。
【請求項３】
前記の柄部材は建造物に沿って配置可能な屈曲形状をなしており、この柄部材の中間部に複数の前記の板状部材が突設されていることを特徴とする請求項１の侵入防止装置。
【請求項４】
前記の板状部材は金属材料で形成され、また前記の刺部はこの板状部材の縁部に斜めに切り込まれた切込み部により形成された三角形状の部分を板厚方向に鉤状に湾曲させて形成させたものであることを特徴とする請求項１の侵入防止装置。
【請求項５】
前記の板状部材は立体的な空間内に立体的に配置されており、少なくとも一方側の最
外側に配置されている板状部材にはその縁部に刺部が突設されていないことを特徴とする請求項１の侵入防止装置。
【発明の詳細な説明】
【技術分野】
【０００１】
本発明は、建造物たとえば塀、フェンス、建物の窓近傍の壁面等に取り付けられ、敷地や建物内への不法侵入を防止する侵入防止装置に関する。さらに特定すれば、本発明は敷地や建物内への侵入を物理的に防止するとともに、建築物の外観を損なうことがない侵入防止装置に関する。
【背景技術】
【０００２】
従来から、敷地や建物内への不法侵入を防止するために、監視カメラや侵入感知装置等の各種の装置が開発されている。しかし、これらのものは、単に不法侵入者を撮影または感知しても、それだけでは侵入を阻止することはできない。このため、これらの装置を設置した場合は、監視員が常時監視し、かつ不法侵入者を発見した場合にはその阻止、警察への通報等の措置をしなければならない。このため、これらの装置は、その設置コスト、運用コストが高いという問題があった。
【０００３】
不法侵入を低いコストで物理的に阻止するには、有刺鉄線をフェンス等の上に張設することが効果的である。しかし、このように有刺鉄線を張設すると、外観が威圧的となり建造物の外観を著しく損なうため、工場や資材置場等にしか適用できず、住宅、ホテル、病院、公共施設等に設置することは実際的には困難である。
【０００４】
また、フェンス等の上に有刺鉄線を張設するには、これらフェンス等の上に所定の間隔で支柱を突設し、これらの支柱の間に複数本の有刺鉄線を張設するのが一般的である。しかしこのようなものでは、厚手の皮手袋等をはめれば、支柱の近傍部分の有刺鉄線を手掛かり、足掛かりにしてよじ登って容易に侵入されてしまうことがある。
【０００５】
また、有刺鉄線を敷設する場合には、直線状に張設するより、螺旋状などの立体的に屈曲した形状に敷設することが効果的であるが、このように敷設すると外観が一層威圧的になり、特別の建造物にしか適用できない。
【０００６】
また、有刺鉄線を引き伸ばして取り扱う際には、これらが絡みやすく、また当然ながら作業者が怪我をする可能性があり、この有刺鉄線を敷設するには、手間が掛かり、かつ相当の注意を払わねばならず、その敷設のコストも高くなる不具合がある。
【０００７】
このような問題を解決するために、従来から各種の侵入防止装置が開発されている。たとえば特許文献１には、帯状の金属板の縁部を斜めに切り込み、複数の有刺体を形成したものが開示されている。このものは、帯状金属板をロール状に巻回してコンパクトに収納でき、敷設の際にはこの帯状金属板を引き出してして捻ることにより、有刺体が突出して侵入防止効果を発揮する。このものは、敷設が簡単で侵入防止効果も高いと思われるが、やはり外観を損ない、この点では従来の有刺鉄線と大差はない。
【０００８】
また、特許文献２には、ステンレスワイヤーに所定間隔で星型の刺を有する合成樹脂の部材を取り付けたものが開示されている。このものは、外観がある程度向上はするが、やはり外観が威圧的となり、またこのような線材を敷設するには従来の有刺鉄線と同様に手間を必要とする。
【０００９】
また、特許文献３には、金属板を打ち抜いて先鋭な爪片を多数突設したものが開示されている。このものは設置が簡単であり、また外観はある程度向上すると思われるが、塀やフェンスの上面に平面的に配置されるだけのものであり、侵入防止効果はあまり高くないと思われる。
【００１０】
また、特許文献４には、柵本体の上縁に、放射状に刺を突設した有刺円筒体を回転自在に取り付けたものである。このものは、外観はある程度向上するが、侵入防止効果はあまり高くなく、また構造が複雑でコストが高くなると思われる。
【特許文献１】特開２００３−２０８２２号公報
【特許文献２】登録実用新案第３０４２７４８号公報
【特許文献３】実開平６−２０８０４号公報
【特許文献４】特開平１１−２５６８８２号公報
【発明の開示】
【発明が解決しようとする課題】
【００１１】
本発明は以上の事情に基づいてなされたもので、塀やフェンス、建物等の建造物の外観を損なうことがなく、また確実に不法侵入を防止することができる建造物の侵入防止装置を提供するものである。
【課題を解決するための手段】
【００１２】
請求項１に記載の本発明は、細長状をなした柄部材と、この柄部材の先端部または中間部の少なくともいずれかに突設された板状部材とを有し、これらの板状部材の縁部には複数の刺部が突設されているものである。
【００１３】
また、請求項２に記載の本発明は、建造物に取り付けられる取付基台を備え、前記の柄部材はこの取付基台から突設されており、この柄部材の先端部または中間部の少なくともいずれかに前記の板状部材が突設されているものである。
【００１４】
また、請求項３に記載の本発明は、前記の柄部材は建造物に沿って配置可能な屈曲形状をなしており、この柄部材の中間部に複数の前記の板状部材が突設されている。
【００１５】
また、請求項４に記載の本発明は、前記の板状部材は金属材料で形成され、また前記の刺部はこの板状部材の縁部に斜めに切り込まれた切込み部により形成された三角形状の部分を板厚方向に鉤状に湾曲させて形成させたものである。
【００１６】
また、請求項５に記載の本発明は、前記の板状部材は立体的な空間内に立体的に配置されており、少なくとも一方側の最外側に配置されている板状部材にはその縁部に刺部が突設されていないものである。
【発明の効果】
【００１７】
請求項１の本発明の侵入防止装置は、板状部材が空間的、立体的に配置されるので、侵入者が通過しようとすると、その身体の一部が板状部材の縁部と接触、摺接しこの縁部の刺部が着衣等に引っかかり、それ以上の侵入は確実に阻止される。また、たとえばこの柄部材を植物の枝や茎に対応させ、また板状部材を植物の葉の形状にしておけば、この侵入防止装置全体を植物の形態を模した形状とすることができ、建築装飾金物と同様の装飾性を有し、建築物の外観を損なうことがない。
【００１８】
請求項２の本発明の侵入防止装置は、板状部材がより効率的に空間的、立体的に配置され、侵入者の身体とより効果的に接触、摺接するので、その刺部が侵入者の身体に効果的に引っ掛かり、より大きな侵入防止の効果を発揮する。また、この形状は植物の形態に近く、この侵入防止装置全体をより植物の形態に近く模すことができ、外観が向上する。
【００１９】
請求項３の本発明の侵入防止装置は、板状部材はより効率的に空間的、立体的に配置され、侵入者の身体とより効果的に接触、摺接するので、その刺部が侵入者の身体に効果的に引っ掛かり、より大きな侵入防止の効果を発揮する。また、この形状は蔓性の植物の形態に近く、この侵入防止装置全体をより植物の形態に近く模すことができ、外観が向上するとともに製造も容易である。
【００２０】
請求項４の本発明の侵入防止装置は、多数の刺部を簡単かつ効率的に形成でき、また剪断工具や剪断金型により切り込み部を形成すればこの切込み部によって形成された三角形状の部分は自動的に湾曲して刺部が形成されるのでこれら刺部を効率的に形成することができる。また、このような切り込みによって形成された刺部は先端が極めて鋭利であるとともに鉤状に湾曲しているので、大きな侵入防止効果を発揮することができる。
【００２１】
また、請求項５に記載の本発明は、空間的に立体的に配置された複数の板状部材のうち、最外側に位置する板状部材の縁部には刺部を突設していないものである。よって、近くを通行した場合、植木の手入れ、その他の場合に誤ってこの侵入防止装置に触れても、最外側の板状部材には刺部が形成されていないので、怪我をすることがない。また、不法侵入者が侵入しようとした場合には、内部の板状部材の刺部に引っ掛かるので、侵入防止効果を発揮する。
【発明を実施するための最良の形態】
【００２２】
以下、図を参照して本発明の実施形態を説明する。図１ないし図５には本発明の第１の実施形態を示す。この実施形態のものは、塀やフェンスの上に取り付けられるもので、バラの葉と枝の形状を模してあり、建築装飾金物としての効果も発揮するように構成したものである。
【００２３】
図中の１は取付基台であって、ブロック塀の上等に取付られるように構成されている。この取付基台１は、運搬や取り付けの際に便利なように、所定の長さ、たとえば９３０ｍｍまたは１０００ｍｍの単位長さに形成され、これらをブロック塀２の上に連続するように取り付ける。
【００２４】
そして、この取付基台１からは、複数の柄部材３が突設されている。これらの柄部材３は、適度の可撓性と弾性を有するように構成され、たとえばこの実施形態では直径が５ｍｍの鉄線材が使用されており、その基端部は上記の取付基台１に溶接されている。この柄部材３は、装飾性を増すとともに、その複雑性、すなわちこれら柄部材３に外力が作用した場合にその撓み方向が予測できなくなるように、中間部が屈曲している。また、この実施形態では、これらの柄部材３の先端部には十字状に比較的短い支柄部材４が溶接により突設されており、この形状はバラの葉枝を模している。なお、これら柄部材３は、基本的な形状は共通しているが、屈曲形状の相違する数種類のものを混ぜて突設してあり、その複雑性を増すとともに、装飾性も向上させるように構成されている。
【００２５】
そして、これらの柄部材３および支柄部材４の先端部には、それぞれ板状部材５が取り付けられている。この実施形態の場合は、これらの板状部材５は１．０ｍｍの厚さの鋼鈑を打ち抜いて形成されており、バラの葉を模した形状をなしている。そして、これらの板状部材５の基端部は筒状に形成されて取付部６を形成しており、これら取付部６内に上記の柄部材３および支柄部材４の先端部が挿入され、その上からスポット溶接することにより取り付けられている。
【００２６】
また、これらの板状部材５の周縁部には、多数の刺部７が一体的に形成されている。これらの刺部７は、図２ないし図５に示すようにこの板状部材５の縁部に斜めに切り込み部８を形成し、この切り込み部８によって形成された三角形状の部分を板厚方向に湾曲させたものである。なお、これらの刺部７を形成する場合に、図５に示すように、金切り鋏または互いに角度を有した一対の剪断刃９、１０を有する剪断工具あるいは剪断金型を使用すれば、この切り込み部８を形成すると同時に上記の三角形部分が自動的に板厚方向に湾曲するので、特に別工程で湾曲させる必要はない。
【００２７】
なお、この実施形態では、図３に示すように上記の刺部７は板状部材５の左右の縁部で板厚方向について逆方向に突設され、たとえば右縁部では刺部７は板状部材５の表側に突出し、左縁部では刺部７は板状部材５の裏側に突出するように構成されている。このように構成することにより、侵入者の身体が板状部材５の裏、表いずれ側に接触してもどちらか側の刺部７に引っかかる。もちろん、この侵入防止装置全体の構成等の条件に対応して、左右の縁部の刺部は裏側または表側の同じ方向に突出していても良い。
【００２８】
このように縁部の切り込み部８によって形成した刺部７は、その先端が極めて鋭利である。なお、これらの刺部７の突出寸法や湾曲角度等は、この侵入防止装置の全体の大きさ、設置条件等により設定されるが、不法侵入者といえども身体に傷を与えることは好ましくないので、侵入者の着衣が引っかかり、侵入者には軽度の痛感を与える程度の大きさと角度が好ましい。
【００２９】
また、上記の板状部材５の切り込み部８は、バラの葉を模したこれら板状部材５の先端側から基端側に向かって斜めに切り込まれ、よって各刺部７は、先端側を指向して突設されているが基端側に向けて湾曲している。よって、不法侵入者の衣服などがこれらの板状部材５の刺部７に引っ掛かった場合に、容易に引き離すことができず、大きな侵入防止効果が得られる。また一般に、バラの葉やその他の草木の葉は、その周縁部に先端側を指向した鋸歯状の凹凸があるものが多く、刺部７を上記のような方向に突設した場合に違和感がなく、装飾体としての効果を損なわない。
【００３０】
また、前記の柄部材３および板状部材５も、自然界の草木と同様な配置、すなわち全体として中心すなわち取付基台１から外側に向けて配置されている。したがって、装飾体として違和感がないとともに、これら柄部材３や板状部材５の間に侵入者の手や足、身体の一部が挿入された場合に、前述のように基端側に湾曲した刺部７が侵入者の衣服等に引っかかり、容易には抜け出せないように構成されている。
【００３１】
また、これらの柄部材３や板状部材５の間の間隔は、この侵入防止装置の上や横から侵入者の手や足が押し付けられた場合に、これらの柄部材３や板状部材５が撓み、これらの間に侵入者の手や足、体の一部が入り込んでしまうような間隔に設定されている。さらに、この実施形態のように、葉の形状を模した板状部材は規則的に配列されるよりも、不規則にあらゆる方向を向いているように配置する方が侵入防止の効果は高くなる。
【００３２】
次に、このような実施形態の作用を説明する。この侵入防止装置は図１に示すように、ブロック塀２の上に連続的に取り付ける。なお、この実施形態の場合には、取付基台１を有しており、これをコンクリートボルト等でブロック塀２の上に固定するだけでよく、取り扱いが面倒な有刺鉄線を張設する場合より取付作業は効率的である。
【００３３】
不法侵入者がこのブロック塀２を乗り越えたり、またこのブロック塀２の上に乗って建物の屋根等に登ろうとする場合には、このブロック塀２の上縁に手を掛け、またこのブロック塀２の上に足を掛けなければならない。したがって、このような場合に、侵入者の手や足、着衣等がこの侵入防止装置の板状部材５の刺部７に引っ掛かり、それ以上の侵入はできなくなる。
【００３４】
また、この実施形態では、柄部材３が撓みやすく、また柄部材３や板状部材５が比較的密に配置されているので、厚い皮手袋をはめ、厚底の靴を履いた侵入者がこの柄部材３を掴んでよじ登ったり、上から柄部材３の上を踏んだ場合でも、この柄部材３が撓み、隣接する柄部材３の板状部材５の刺部７に侵入者の足や手が引っ掛かり、侵入を阻止する。
【００３５】
なお、この実施形態では、侵入防止の効果を高め、また装飾性を高めるために、柄部材３や板状部材５を比較的密に配置し、板部材５が侵入者の身体に直接接触するように構成されているが、コストを低くするためにこれらの間隔を大きくあけて配置した場合には、柄部材３が侵入経路を横切るように配置する。このようにすれば、侵入者の身体が柄部材３に当たればこれが撓み、最終的にはこの柄部材に突設された板状部材５の縁部が侵入者の身体に接触し、刺部７が侵入者の身体に引っ掛かり、その侵入を確実に阻止することができる。
【００３６】
また、この実施形態のものは、全体の形状がバラの樹の形態をなしており、建築装飾金物と同様の装飾性があり、威圧感がなく、建造物の外観を損なわない。したがって、住宅、ホテル、病院、公共建築物等にも適用することができる。
【００３７】
また、図６および図７には、本発明の第２の実施形態を示す。このものは、柄部材１３がたとえば直径５ｍｍの鉄線材から構成されており、この柄部材１３は比較的長尺に形成されている。そして、この柄部材１３は、螺旋状または屈曲状等、空間的、立体的な形状をなし、かつ塀やフェンス、建物の窓近傍の壁面等に沿って配置できるように、全体としては直線状の形状をなしている。そして、この柄部材１３からは図７に示すような複数の十字状の支柄部材１４が突設されており、これら支柄部材１４の先端部には、前述したと同様なバラの葉を模した形状の板状部材５が取付られている。なお、符号１１は取付金具である。
【００３８】
このように構成された第２の実施形態のものは、図６に示すようにこれをブロック塀２等の上に沿って取り付ける。そして、柄部材１３は屈曲しているので、板状部材５は空間的、立体的に配置される。したがって、侵入者がこのブロック塀２を乗り越えようとした場合に、侵入者の身体がこの板状部材５に接触し、刺部７が引っかかるのでその侵入が阻止される。なお、これら板状部材５の配置間隔が疎の場合であっても、前述したように侵入者の身体が柄部材１３や支柄部材１４に当たれば、最終的には板状部材５が侵入者の身体に接触し、侵入を防止する。また、この実施形態のものは、全体の形状が蔓性の植物、たとえば蔓バラの形態をなしているので、装飾性が高く、これを設置しても外観を損なわない。
【００３９】
また、図８には本発明の第３の実施形態を示す。この実施形態のものは、ネットフェンスや格子フェンス等の上に取り付けるのに適したもので、これらのフェンスとの意匠的な調和を図るため、またコストを低くするために単純な形状をなしている。また、この実施形態のものは、近くを通行する場合、植木等の手入れをする場合、その他の場合に誤ってこの侵入防止装置に触れても、怪我をする可能性をなくしたものである。
【００４０】
図中の２１は取付基台であって、フェンス２３等の上に取付金具２２などにより取り付けられるように構成されている。そして、この取付基台２１からは複数の柄板体２４、２５が突設されている。これらの柄板体２４，２５は、それぞれ直線状の柄部材２６と、その先端部に十字状に突設された支柄部材２７とを備えており、これら柄部材２６と支柄部材２７の先端部にはそれぞれ板状部材２８，２９が取付られており、全体としてバラの枝葉を模した形状をなしている。
【００４１】
これらの柄板体２４，２５は所定の間隔で前列３０ａ、中央列３０ｂ、および後列３０ｃの３列に配置されている。したがって、これらの柄板体２４，２５の板状部材２８，２９は所定の立体的な空間内に、立体的に配置されている。そして、これら３列の柄板体２４，２５のうち、外側すなわち前列３０ａおよび後列３０ｃの列の柄板体２４の板状部材２８の縁部には、刺部が形成されていない。また、内側すなわち中央列３０ｂの柄板体２５の板状部２９の縁部には、前述の実施形態と同様の鉤状の刺部７が形成されている。したがって、これら空間的に配置された板状部材２８，２９のうち、最外側に位置する板状部材２８の縁部には刺部が形成されておらず、内側に位置した板状部材２９の縁部には刺部７が形成されている。
【００４２】
この実施形態のものは、両外側の列３０ａ、３０ｃの柄板体２４の板状部材２８には刺部が形成されていないので、この近傍を通行する場合、植え込みの手入れをする場合、その他の場合に誤ってこの外側の柄板体２４に手等が触れても、その板状部材２８には刺部が形成されているので、怪我をすることがない。また、不法侵入者が侵入しようとした場合には、両外側列の柄板体２４が不法侵入者の体重で撓むか、または不法侵入者の手足等がこれら両外側列の柄板体２４の板状部材２８の間に入り込み、この不法侵入者の体が中央列３０ｂすなわち内側の柄板体２５の板状部材２９の刺部７に引っ掛かり、侵入が阻止される。なお、この場合に、不法侵入者の手足等が両外側の柄板体２４の板状部材２８の間等の嵌り込むことにより動きが拘束されるので、内側の柄板体２５の板状部材２９の刺部７に引っ掛かった不法侵入者の手足等が刺部７から外れ難くなり、大きな侵入防止効果が得られる。
【００４３】
また、この実施形態のものは、形状が単純で製造が容易であり、またネットフェンス、格子フェンス等と違和感がない。そして、上述のように誤って触れても怪我をすることがないので、低いフェンスや塀、近くに植え込みがあるフェンスや塀の上にも設置することができ、広い用途がある。
【００４４】
なお、この第３の実施形態において、柄板体２４，２５を３列に配置し、両外側の列の柄板体２４の板状部材２８には刺部が形成されていないように構成したが、片側から誤って触れる可能性の少ないような箇所に設置する場合には、両外側の列のうち一方の外側列の柄板体２４の板状部材２８のみ、その縁部に刺部を形成しないようにしても良い。なお、この場合には、柄板体は２列でもよい。
【００４５】
なお、この実施形態の場合に、全体の形状は上記のようなものには限定されず、前述した第１または第２の実施形態のような形状でもよい。この場合に、立体的な空間内に配置される板状部材のうち、最外側に位置する板状部材に刺部を形成していない板状部材を配置すればよい。
【００４６】
なお、本発明は上述の実施形態には限定されない。たとえば、上述した実施形態では、板状部材の配置を密にするため、またバラの形態に近似させるために、柄部材から突設した支柄部材に板状部材を取り付けたが、柄部材に直接板状部材を突設してもよく、このようにすれば、製造が容易でコストを低減できる。本明細書および特許請求の範囲において、柄部材から突設とは、上述のような支柄部材等を介して、または直接板状部材を突設する場合を含み、要は柄部材に侵入者の身体が当たってこれが撓んだ場合にも、この板状部材が侵入者の身体に接触するように、この板状部材が柄部材に対して空間的に突設した関係に取付られていれば良い。
【００４７】
また、上述の実施形態では、柄部材、支柄部材、板状部材をバラの樹木に模した形状に構成したが、その他の植物の形態を模した形状としても良い。また、この柄部材、支柄部材、板状部材は必ずしも植物を模した形状とする必要もなく、これらを幾何学的な形状、抽象的な形状としてもよく、設置すべき建造物のデザインに対応した任意の形状にすることができる。
【００４８】
また、上記の刺部は、必ずしも金属製の板状部材の縁部に斜めに切り込みを入れて形成するものに限らず、たとえば板状部材をプレス成形で打ち抜く際に、同時に縁部に刺部を形成してもよく、この場合の刺部は必ずしも湾曲した鉤状のものには限定されず、直立状、鋸歯状、その他の形状とすることができる。また、板状部材は平板状には限らず、より植物の葉に近くするために湾曲させてもよく、またねじりを与えても良い。
【００４９】
また、上記の実施形態では、柄部、支柄部、板状部材等は鉄鋼材を使用したが、これに限らず、ステンレス鋼材を使用してもよい。このようにステンレス鋼材を使用すれば、塗装の必要がなく、また刺部の先端が錆びることがないので、半永久的に刺部先端の鋭利さを維持することができる。また、板状部材は金属に限らず、合成樹脂材料により刺部を一体的に形成したものでも良い。また、柄部材等に弾性の高いピアノ線、硬鋼線等を使用すれば、刺部に引っ掛かった不法侵入者の体がより外れ難くなり、侵入防止効果がより高くなる。
【００５０】
また、上記の実施形態では、塀やフェンス、建物等に取り付ける侵入防止装置を対象にして説明したが、本発明は建物等に固定するものには限らず、この侵入防止装置そのものを乗り越え不能な高さの柵や植え込み等の形状とし、これを道路や敷地の境界に設置して可搬形の侵入防止装置とすることもできる。道路や敷地を侵入不能に封鎖するには、従来は有刺鉄線を螺旋状に敷設していたが、上記のような柵状等の形状の侵入防止装置を設置すれば、有刺鉄線の場合のような威圧感がない。
【図面の簡単な説明】
【００５１】
【図１】本発明の第１の実施形態の全体の斜視図。
【図２】図１のＡ部分を拡大して示す斜視図。
【図３】図２の板状部材の一枚を示す斜視図。
【図４】板状部材の刺部を製造する方法を説明する平面図。
【図５】板状部材の刺部を製造する方法を説明する図４の５−５線に沿う断面図。
【図６】本発明の第２の実施形態の全体の斜視図。
【図７】図６のＢ部分を拡大して示す斜視図。
【図８】本発明の第３の実施形態の全体の斜視図。
【符号の説明】
【００５２】
１  取付基台
２  ブロック塀
３  柄部材
４  支柄部材
５  板状部材
６  取付部
７  刺部
８  切り込み部
９、１０  剪断刃
１１  取付金具
１３  柄部材
１４  支柄部材
２１  取付基台
２４、２５  柄板体
２６  柄部材
２７  支柄部材
２８、２９  板状部材
【図１】
2004360449.tif 000003
【図２】
2004360449.tif 000004
【図３】
2004360449.tif 000005
【図４】
2004360449.tif 000006
【図５】
2004360449.tif 000007
【図６】
2004360449.tif 000008
【図７】
2004360449.tif 000009
【図８】
2004360449.tif 000010